(57)【特許請求の範囲】
【請求項１】
第１のダイナミックレンジの第１の画像データに上記第１のダイナミックレンジ用の光電変換特性を適用して第１の伝送用画像データを得、上記第１のダイナミックレンジより広い第２のダイナミックレンジの第２の画像データに上記第２のダイナミックレンジ用の光電変換特性を適用して第２の伝送用画像データを得、上記第１の伝送用画像データを符号化して第１のレイヤの符号化画像データを得、上記第２の伝送用画像データから上記第１の伝送用画像データを減算して得られた差分画像データを符号化して第２のレイヤの符号化画像データを得、上記第１のレイヤの符号化画像データおよび上記第２のレイヤの符号化画像データを持つビデオストリームを生成する画像符号化部と、
上記ビデオストリームを含むコンテナを送信する送信部と、
上記ビデオストリームに含まれる各ピクチャの符号化画像データがそれぞれ上記第１のレイヤに属するか上記第２のレイヤに属するかを識別するためのレイヤ情報を上記ビデオストリームのレイヤまたは上記コンテナのレイヤに挿入するレイヤ挿入部を備え、
上記画像符号化部は、
上記減算を行って上記差分画像データを得るとき、上記第１の伝送用画像データの値が上記第２の伝送用画像データの値に近づくように、上記第１の伝送用画像データにレベル調整をする
送信装置。
【請求項２】
上記ビデオストリームのレイヤに、上記レベル調整の特性情報、および/または、明るさのレベル情報とコントラスト情報を挿入する情報挿入部をさらに備える
請求項１に記載の送信装置。
【請求項３】
上記画像符号化部は、
上記第１の伝送用画像データの各ピクチャの符号化ピクチャタイプと、上記差分画像データの対応する各ピクチャの符号化ピクチャタイプを一致させる
請求項１に記載の送信装置。
【請求項４】
上記レイヤ情報挿入部は、
上記レイヤ情報を上記ビデオストリームのレイヤに挿入する場合、該レイヤ情報をＮＡＬユニットのヘッダに挿入する
請求項１に記載の送信装置。
【請求項５】
上記コンテナのレイヤに挿入されるレイヤ情報は、上記第１のレイヤおよび上記第２のレイヤのそれぞれに対応するテンポラルＩＤの値を示す
請求項１に記載の送信装置。
【請求項６】
第１のダイナミックレンジの第１の画像データに上記第１のダイナミックレンジ用の光電変換特性を適用して第１の伝送用画像データを得、上記第１のダイナミックレンジより広い第２のダイナミックレンジの第２の画像データに上記第２のダイナミックレンジ用の光電変換特性を適用して第２の伝送用画像データを得、上記第１の伝送用画像データを符号化して第１のレイヤの符号化画像データを得、上記第２の伝送用画像データから上記第１の伝送用画像データを減算して得られた差分画像データを符号化して第２のレイヤの符号化画像データを得、上記第１のレイヤの符号化画像データおよび上記第２のレイヤの符号化画像データを持つビデオストリームを生成する画像符号化手順と、
上記ビデオストリームを含むコンテナを送信する送信手順と、
上記ビデオストリームに含まれる各ピクチャの符号化画像データがそれぞれ上記第１のレイヤに属するか上記第２のレイヤに属するかを識別するためのレイヤ情報を上記ビデオストリームのレイヤまたは上記コンテナのレイヤに挿入するレイヤ挿入手順を有し、
上記画像符号化手順では、
上記減算を行って上記差分画像データを得るとき、上記第１の伝送用画像データの値が上記第２の伝送用画像データの値に近づくように、上記第１の伝送用画像データにレベル調整をする
送信方法。
【請求項７】
第１の伝送用画像データを符号化して得られた第１のレイヤの符号化画像データ、および第２の伝送用画像データから上記第１の伝送用画像データを減算して得られた差分画像データを符号化して得られた第２のレイヤの符号化画像データを持つビデオストリームを含むコンテナを受信する受信部を備え、
上記第１の伝送用画像データは、第１のダイナミックレンジの第１の画像データに上記第１のダイナミックレンジ用の光電変換特性を適用して得られたものであり、
上記第２の伝送用画像データは、上記第１のダイナミックレンジより広い第２のダイナミックレンジの第２の画像データに上記第２のダイナミックレンジ用の光電変換特性を適用して得られたものであり、
上記ビデオストリームのレイヤまたは上記コンテナのレイヤに、上記ビデオストリームに含まれる各ピクチャの符号化画像データがそれぞれ上記第１のレイヤに属するか上記第２のレイヤに属するかを識別するためのレイヤ情報が挿入されており、
上記減算を行って上記差分画像データを得るとき、上記第１の伝送用画像データの値が上記第２の伝送用画像データの値に近づくように、上記第１の伝送用画像データにレベル調整がされており、
上記レイヤ情報に基づいて、上記ビデオストリームから、上記第１のレイヤの符号化画像データ、または上記第１のレイヤの符号化画像データおよび上記第２のレイヤの符号化画像データを選択的に取り出して処理を行って上記第１の伝送用画像データまたは上記第２の伝送用画像データを得る処理部をさらに備え、
上記処理部は、
上記第１のレイヤの符号化画像データを復号化して上記第１の伝送用画像データを得、上記第２のレイヤの符号化画像データを復号化して得られた差分画像データに上記第１の伝送用画像データを加算して上記第２の伝送用画像データを得、
上記第２の伝送用画像データを得るとき、上記差分画像データに加算される上記第１の伝送用画像データに上記レベル調整に対応したレベル調整をする
受信装置。
【請求項８】
上記処理部は、
表示部の表示能力情報に基づいて、上記第１の伝送用画像データまたは上記第２の伝送用画像データを得る
請求項７に記載の受信装置。
【請求項９】
上記ビデオストリームのレイヤに、レベル調整の特性情報が挿入されており、
上記処理部は、
上記レベル調整の特性情報に基づいて、上記第１の伝送用画像データにレベル調整をする
請求項７に記載の受信装置。
【請求項１０】
第１の伝送用画像データを符号化して得られた第１のレイヤの符号化画像データ、および第２の伝送用画像データから上記第１の伝送用画像データを減算して得られた差分画像データを符号化して得られた第２のレイヤの符号化画像データを持つビデオストリームを含むコンテナを受信する受信手順を有し、
上記第１の伝送用画像データは、第１のダイナミックレンジの第１の画像データに上記第１のダイナミックレンジ用の光電変換特性を適用して得られたものであり、
上記第２の伝送用画像データは、上記第１のダイナミックレンジより広い第２のダイナミックレンジの第２の画像データに上記第２のダイナミックレンジ用の光電変換特性を適用して得られたものであり、
上記ビデオストリームのレイヤまたは上記コンテナのレイヤに、上記ビデオストリームに含まれる各ピクチャの符号化画像データがそれぞれ上記第１のレイヤに属するか上記第２のレイヤに属するかを識別するためのレイヤ情報が挿入されており、
上記減算を行って上記差分画像データを得るとき、上記第１の伝送用画像データの値が上記第２の伝送用画像データの値に近づくように、上記第１の伝送用画像データにレベル調整がされており、
上記レイヤ情報に基づいて、上記ビデオストリームから、上記第１のレイヤの符号化画像データ、または上記第１のレイヤの符号化画像データおよび上記第２のレイヤの符号化画像データを選択的に取り出して処理を行って上記第１の伝送用画像データまたは上記第２の伝送用画像データを得る処理手順をさらに有し、
上記処理手順では、
上記第１のレイヤの符号化画像データを復号化して上記第１の伝送用画像データを得、上記第２のレイヤの符号化画像データを復号化して得られた差分画像データに上記第１の伝送用画像データを加算して上記第２の伝送用画像データを得、
上記第２の伝送用画像データを得るとき、上記差分画像データに加算される上記第１の伝送用画像データに上記レベル調整に対応したレベル調整をする
受信方法。
【発明の詳細な説明】
【技術分野】
【０００１】
本技術は、送信装置、送信方法、受信装置および受信方法に関し、詳しくは、ハイダイナミックレンジのビデオデータを取り扱う送信装置等に関する。
【背景技術】
【０００２】
従来、モニタに、その特性とは逆の特性を持つ画像データを入力することで、モニタのガンマ特性を補正するガンマ補正が知られている。例えば、非特許文献１には、０〜１００％＊Ｎ（Ｎは１より大きい）のレベル範囲を持つＨＤＲ（High Dynamic Range）画像データデータに光電変換を適用して得られた伝送画像データを符号化することで得られたビデオストリームを送信することなどが記載されている。【０００３】
従来のＬＤＲ（Low Dynamic Range）画像は、規定された光電・電光変換特性に基づき、主に１００cd/m**2 の明るさ（ブライトネスレベル）を参照してそれに対するコントラスト比を１００：１となるようにして、その最小となる明るさをブラックレベルとして運用している。ＨＤＲ画像は、ブラック側のレベルはきめ細かく、かつ、ブライトネスレベルを伸ばして表示させることが必要となり、カメラ出力の時点でＨＤＲ向けの特殊な光電変換が用いられることがある。
【先行技術文献】
【非特許文献】
【０００４】
【非特許文献１】High Efficiency Video Coding (HEVC) ITU-T H.265 規格
【発明の概要】
【発明が解決しようとする課題】
【０００５】
本技術の目的は、ＨＤＲ画像データおよびＬＤＲ画像データの双方を良好に伝送可能とすることにある。
【課題を解決するための手段】
【０００６】
本技術の概念は、
従来のＬＤＲ画像の白ピークの明るさに対して０％から１００％のコントラスト比を持つ第１の入力画像データに光電変換を施して得られた第１の伝送画像データおよび従来の白ピークの明るさを越える０％から１００％＊Ｎ（Ｎは１より大きい数）のコントラスト比を持つ第２の入力画像データに光電変換を施して得られた第２の伝送画像データをレイヤ分けして符号化し、各レイヤのピクチャの符号化画像データを持つビデオストリームを生成する画像符号化部と、
上記ビデオストリームを含む所定フォーマットのコンテナを送信する送信部を備える
送信装置にある。【０００７】
本技術において、画像符号化部により、第１の伝送画像データおよび第２の伝送画像データがレイヤ分けされて符号化され、各レイヤの符号化画像データを持つビデオストリームが生成される。第１の伝送画像データは、従来のＬＤＲ画像の白ピークの明るさに対して０％から１００％のコントラスト比を持つ第１の入力画像データ（ＬＤＲ画像データ）に光電変換を施して得られたものである。第２の伝送画像データは、従来の白ピークの明るさを越える０％から１００％＊Ｎ（Ｎは１より大きい数）のコントラスト比を持つ第２の入力画像データ（ＨＤＲ画像データ）に光電変換を施して得られたものである。【０００８】
送信部により、ビデオストリームを含む所定フォーマットのコンテナが送信される。例えば、コンテナは、デジタル放送規格で採用されているトランスポートストリーム（ＭＰＥＧ−２  ＴＳ）であってもよい。また、例えば、コンテナは、インターネットの配信などで用いられるＭＰ４、あるいはそれ以外のフォーマットのコンテナであってもよい。【０００９】
このように本技術においては、ＬＤＲ画像データに光電変換を施して得られた第１の伝送画像データとＨＤＲ画像データに光電変換を施して得られた第２の伝送画像データとをレイヤ分けして符号化し、各レイヤのピクチャの符号化画像データを持つビデオストリームを含むコンテナを送信するものである。そのため、ＨＤＲ画像データおよびＬＤＲ画像データの双方を良好に送信可能となる。【００１０】
なお、本技術において、例えば、画像符号化部は、第２の伝送画像データと第１の伝送画像データとの間で減算処理を行って差分画像データを得、第１の伝送画像データを符号化して第１のレイヤの符号化画像データとし、差分画像データを符号化して第２のレイヤの符号化画像データとする、ようにされてもよい。差分画像データを符号化して第２のレイヤの符号化画像データとするものであり、符号化効率の向上が可能となる。【００１１】
この場合、例えば、画像符号化部は、第１の伝送画像データの各ピクチャの符号化ピクチャタイプと、差分画像データの対応する各ピクチャの符号化ピクチャタイプを一致させる、ようにされてもよい。このようにピクチャタイプを一致させることで、受信側では、第１のレイヤの符号化画像データの各ピクチャの復号化と第２のレイヤの符号化画像データの対応する各ピクチャの復号化とを一括りのタイミングで進めることが可能となり、第２の伝送画像データを得るまでのデコード遅延を小さく抑えることが可能となる。【００１２】
また、本技術において、例えば、各レイヤのピクチャの符号化画像データのレイヤ情報をビデオストリームのレイヤまたはコンテナのレイヤに挿入するレイヤ情報挿入部をさらに備える、ようにされてもよい。この場合、例えば、レイヤ情報挿入部は、レイヤ情報をビデオストリームのレイヤに挿入する場合、このレイヤ情報をＮＡＬユニットのヘッダに挿入する、ようにされてもよい。また、この場合、例えば、コンテナのレイヤに挿入されるレイヤ情報は、各レイヤに対応するテンポラルＩＤを示す、ようにされてもよい。このようにレイヤ情報が挿入されることで、受信側では、ビデオストリームから各レイヤのピクチャの符号化画像データを取り出すことが容易となる。【００１３】
また、本技術において、例えば、画像符号化部は、減算処理を行って差分画像データを得るとき、第１の伝送画像データまたは第２の伝送画像データにレベル調整を施す、ようにされてもよい。このようにレベル調整されることで、差分画像データの値を小さくでき、符号化効率をより高めることが可能となる。この場合、例えば、ビデオストリームのレイヤに、レベル調整の特性情報、および/または、明るさのレベル情報とコントラスト情報を挿入する情報挿入部をさらに備える、ようにされてもよい。これにより、受信側では、レベル調整の特性情報に基づいて第１の伝送画像データのレベルを調整して差分画像データに加算することで、第２の伝送画像データを良好に得ることが可能となる。また、受信側では、明るさのレベル情報とコントラスト情報を用いて表示調整を行うことが可能となる。【００１４】
また、本技術の他の概念は、
第１の伝送画像データおよび第２の伝送画像データがレイヤ分けされて符号化されてなる各レイヤのピクチャの符号化画像データを持つビデオストリームを含むコンテナを受信する受信部を備え、
上記第１の伝送画像データは、従来のＬＤＲ画像の白ピークの明るさに対して０％から１００％のコントラスト比を持つ第１の入力画像データに光電変換を施して得られたものであり、
上記第２の伝送画像データは、従来の白ピークの明るさを越える０％から１００％＊Ｎ（Ｎは１より大きい数）のコントラスト比を持つ第２の入力画像データに光電変換を施して得られたものであり、
上記受信部で受信されたコンテナに含まれるビデオストリームを処理する処理部をさらに備える
受信装置にある。【００１５】
本技術において、受信部により、第１の伝送画像データおよび第２の伝送画像データがレイヤ分けされて符号化されてなる各レイヤのピクチャの符号化画像データを持つビデオストリームを含むコンテナが受信される。第１の伝送画像データは、従来のLDR画像の白ピークの明るさに対して０％から１００％のコントラスト比を持つ第１の入力画像データ（ＬＤＲ画像データ）に光電変換を施して得られたものである。第２の伝送画像データは、従来の白ピークの明るさを越える０％から１００％＊Ｎ（Ｎは１より大きい数）のコントラスト比を持つ第２の入力画像データ（ＨＤＲ画像データ）に光電変換を施して得られたものである。【００１６】
処理部により、受信部で受信されたコンテナに含まれるビデオストリームが処理される。例えば、処理部は、第１の伝送画像データまたは第２の伝送画像データを選択的に出力する、ようにされてもよい。その場合、例えば、処理部は、表示部の表示能力に応じて、第１の伝送画像データまたは第２の伝送画像データを出力する、ようにされてもよい。そして、例えば、処理部から出力される第１の伝送画像データまたは第２の伝送画像データに対応する電光変換を施す電光変換部をさらに備える、ようにされてもよい。【００１７】
このように本技術においては、ＬＤＲ画像データに光電変換を施して得られた第１の伝送画像データとＨＤＲ画像データに光電変換を施して得られた第２の伝送画像データとがレイヤ分けされて符号化されてなる各レイヤのピクチャの符号化画像データを持つビデオストリームを受信するものである。そのため、ＨＤＲ画像データおよびＬＤＲ画像データの双方を良好に受信可能となる。【００１８】
なお、本技術において、例えば、ビデオストリームは、第１の伝送画像データが符号化されてなる第１のレイヤの符号化画像データと、第２の伝送画像データと第１の伝送画像データとの間で減算処理を行って得られた差分画像データが符号化されてなる第２のレイヤの符号化画像データを持ち、処理部は、第１のレイヤの符号化画像データを復号化して第１の伝送ビデオデータを得、第２のレイヤの符号化画像データを復号化して得られた差分画像データに第１の伝送画像データを加算して第２の伝送画像データを得る、ようにされてもよい。【００１９】
この場合、例えば、ビデオストリームのレイヤあるいはコンテナのレイヤに、各レイヤのピクチャの符号化画像データのレイヤ情報が挿入されており、処理部は、レイヤ情報に基づいて、ビデオストリームから、第１のレイヤの符号化画像データおよび第２の符号化画像データを取り出す、ようにされてもよい。この場合、ビデオストリームから各レイヤのピクチャの符号化画像データを容易に取り出すことができる。【００２０】
また、本技術において、例えば、処理部は、第２の伝送画像データを得るとき、第１の伝送画像データまたは加算画像データにレベル調整を施す、ようにされてもよい。この場合、例えば、ビデオストリームのレイヤに、レベル調整の特性情報が挿入されており、処理部は、このレベル調整の特性情報に基づいて、第１の伝送画像データまたは加算画像データにレベル調整を施す、ようにされてもよい。レベル調整を施すことで、第２の伝送画像データを良好に得ることが可能となる。
【発明の効果】
【００２１】
本技術によれば、ＨＤＲ画像データおよびＬＤＲ画像データの双方を良好に伝送できる。なお、本明細書に記載された効果はあくまで例示であって限定されるものではなく、また付加的な効果があってもよい。
【図面の簡単な説明】
【００２２】
【図１】送受信システムの構成例を示すブロック図である。
【図２】送受信システムを構成する送信装置の構成例を示すブロック図である。
【図３】ＬＤＲ画像用、ＨＤＲ画像用の光電変換特性（ＬＤＲ ＯＥＴＦカーブ、ＨＤＲ ＯＥＴＦカーブ）の一例を示す図である。
【図４】ＬＤＲ画像用、ＨＤＲ画像用の光電変換特性（ＬＤＲ ＯＥＴＦカーブ、ＨＤＲ ＯＥＴＦカーブ）の他の一例を示す図である。
【図５】送信装置のビデオエンコーダで行われる階層符号化の一例を示す図である。
【図６】ＮＡＬユニットヘッダの構造例およびその構造例における主要な内容を示す図である。
【図７】ビデオエンコーダの構成例を示すブロック図である。
【図８】第１の伝送画像データＶ１の値を第２の伝送画像データＶ２の値に近づけるためのレベル調整カーブ（マッピングカーブ）の一例を示す図である。
【図９】第１の伝送画像データＶ１の値を第２の伝送画像データＶ２の値に近づけるためのレベル調整カーブ（マッピングカーブ）の他の一例を示す図である。
【図１０】符号化方式がＨＥＶＣである場合におけるＧＯＰの先頭のアクセスユニットを示す図である。
【図１１】「Level_Adjusting SEI message」の構造例を示す図である。
【図１２】「Level_Adjusting_information_data()」の構造例を示す図である。
【図１３】「Level_Adjusting_information_data()」の構造例における主要な内容を示す図である。
【図１４】レイヤ・ヒエラルキー・デスクリプタの構造例を示す図である。
【図１５】レイヤ・ヒエラルキー・デスクリプタの構造例における主要な内容を示す図である。
【図１６】トランスポートストリームの構成例を示す図である。
【図１７】送受信システムを構成する受信装置の構成例を示すブロック図である。
【図１８】ビデオデコーダの構成例を示すブロック図である。
【図１９】ビデオストリームに含まれる第１のレイヤの符号化画像データＣＶ１と第２のレイヤの符号化画像データＣＶ２を分けるための方法を説明するための図である。
【図２０】ビデオエンコーダの他の構成例を示すブロック図である。
【図２１】ビデオデコーダの他の構成例を示すブロック図である。
【図２２】送信装置のビデオエンコーダで行われる階層符号化の他の一例を示す図である。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［送受信システムの構成］
図１は、実施の形態としての送受信システム１０の構成例を示している。この送受信システム１０は、送信装置１００および受信装置２００により構成されている。
【００２５】
送信装置１００は、コンテナとしてのＭＰＥＧ２のトランスポートストリームＴＳを生成し、このトランスポートストリームＴＳを放送波あるいはネットのパケットに載せて送信する。このトランスポートストリームＴＳは、第１の伝送画像データおよび第２の伝送画像データがレイヤ分けされて符号化されてなる各レイヤのピクチャの符号化画像データを持つビデオストリームを含むものである。
【００２６】
送信装置１００は、従来のＬＤＲ画像の白ピークの明るさに対して０％から１００％のコントラスト比を持つ第１の入力画像データ（ＬＤＲ画像データ）に、ＬＤＲ画像用の光電変換特性（ＬＤＲ ＯＥＴＦカーブ）を適用して、第１の伝送画像データを得る。また、送信装置１００は、従来の白ピークの明るさを越える０％から１００％＊Ｎ（Ｎは１より大きい数）のコントラスト比を持つ第２の入力画像データ（ＨＤＲ画像データ）に、ＨＤＲ画像用の光電変換特性（ＨＤＲ ＯＥＴＦカーブ）を適用して、第２の伝送画像データを得る。
【００２７】
送信装置１００は、第１の伝送画像データに関しては、この第１の伝送画像データをそのまま符号化し、第１のレイヤの符号化画像データとする。一方、第２の伝送画像データに関しては、この第２の伝送画像データから第１の伝送画像データを減算して得られた差分画像データを符号化し、第２のレイヤの符号化画像データとする。このように第２の伝送画像データそのものの符号化ではなく、第１の伝送画像データとの間の差分画像データの符号化を行うことで、符号化効率を高めることが可能となる。
【００２８】
送信装置１００は、差分画像データを得るとき、第１の伝送画像データにレベル調整を施す。このようにレベル調整を施すことで、第１の伝送画像データの値を第２の伝送画像データの値に近づけることができ、符号化効率をさらに高めることが可能となる。
【００２９】
送信装置１００は、ビデオストリームのレイヤに、このレベル調整の特性情報を挿入する。このレベル調整の特性情報により、受信側では、第２の伝送画像データを得るために差分画像データに加算する第１の伝送画像データのレベルを送信側の調整と同様に調整することが可能となり、第２の伝送画像データを精度よく得ることが可能となる。
【００３０】
送信装置１００は、第１の伝送画像データおよび差分画像データの各ピクチャを複数の階層に分類して符号化する。この場合、例えば、Ｈ．２６４／ＡＶＣ、Ｈ．２６５／ＨＥＶＣなどの符号化が施され、例えば、被参照ピクチャが自己階層および／または自己階層よりも低い階層に所属するように符号化される。
【００３１】
送信装置１００は、第１の伝送画像データの各ピクチャの符号化ピクチャタイプと、差分画像データの対応する各ピクチャの符号化ピクチャタイプが一致するように符号化する。このように双方の画像データのピクチャタイプが一致するように符号化を行うことで、受信側における第２の伝送画像データを得るためのデコード遅延を小さく抑えることが可能となる。
【００３２】
送信装置１００は、各階層のピクチャの符号化画像データに、ピクチャ毎に、所属階層を識別するための階層識別情報を付加する。この実施の形態においては、各ピクチャのＮＡＬユニット（nal_unit）のヘッダ部分に、階層識別子（temporal_id）を意味する“nuh_temporal_id_plus1”が配置される。このように階層識別情報を付加することで、受信側では、ＮＡＬユニットのレイヤにおいて各ピクチャの階層識別が可能となる。
【００３３】
送信装置１００は、例えば、第１の伝送画像データの各ピクチャの符号化画像データを下位階層に割り当て、差分画像データの各ピクチャの符号化画像データを上位階層に割り当てる。そして、送信装置１００は、各階層のピクチャの符号化画像データに、レイヤを識別するためのレイヤ情報を付加する。この実施の形態においては、各ピクチャのＮＡＬユニット（nal_unit）のヘッダ部分に、レイヤ情報としてレイヤ識別子（Layer_id）が配置される。
【００３４】
送信装置１００は、コンテナ（トランスポートストリーム）のレイヤに、各階層のピクチャの符号化画像データのレイヤを識別するためのレイヤ情報を挿入する。このレイヤ情報は、例えば、プログラム・マップ・テーブルの配下のビデオエレメンタリストリームループ中のデスクリプタに記述される。このレイヤ情報は、各レイヤに含まれる階層識別子（temporal_id）の値を示すものとされる。
【００３５】
このように、ビデオストリームのレイヤ、あるいはコンテナのレイヤに、各階層のピクチャの符号化画像データにレイヤ情報を付加あるいは挿入することで、受信側では、ビデオストリームから各レイヤのピクチャの符号化画像データを容易かつ的確に取り出すことが可能となる。
【００３６】
受信装置２００は、送信装置１００から放送波あるいはネットのパケットに載せて送られてくるトランスポートストリームＴＳを受信する。このトランスポートストリームＴＳは、上述したように、第１の伝送画像データおよび第２の伝送画像データがレイヤ分けされて符号化されてなる各レイヤのピクチャの符号化画像を持つビデオストリームを含んでいる。
【００３７】
受信装置２００は、ビデオストリームを処理し、表示部の表示能力に基づいて、第１の伝送画像データまたは第２の伝送画像データを選択的に出力する。つまり、表示部がＬＤＲ画像の表示能力を持つ場合、受信装置２００は、第１の伝送画像データを出力し、ＬＤＲ画像に対応した電光変換を施して、表示部に送る。一方、表示部がＨＤＲ画像の表示能力を持つ場合、受信装置２００は、第２の伝送画像データを出力し、ＨＤＲ画像に対応した電光変換を施して、表示部に送る。
【００３８】
上述したように、ビデオストリームは、第１の伝送画像データが符号化されてなる第１のレイヤの符号化画像データと、第２の伝送画像データから第１の伝送画像データを減算して得られた差分画像データが符号化されてなる第２のレイヤの符号化画像データを持つ。受信装置２００は、第１のレイヤの符号化画像データを復号化して第１の伝送ビデオデータを得、第２のレイヤの符号化画像データを復号化して得られた差分画像データに第１の伝送画像データを加算して第２の伝送画像データを得る。
【００３９】
上述したように、ビデオストリームのレイヤあるいはコンテナのレイヤに、各レイヤのピクチャの符号化画像データのレイヤ情報が挿入されている。受信装置２００は、このレイヤ情報に基づいて、ビデオストリームから、第１のレイヤの符号化画像データおよび第２のレイヤの符号化画像データを取り出す。
【００４０】
また、上述したように、ビデオストリームのレイヤに、レベル調整の特性情報が挿入されている。受信装置２００は、このレベル調整の特性情報により、第２の伝送画像データを得るために差分画像データに加算する第１の伝送画像データのレベルを送信側の調整と同様に調整する。
【００４１】
「送信装置の構成」
図２は、送信装置１００の構成例を示している。この送信装置１００は、制御部１０１と、ＬＤＲカメラ１０２Ｌと、ＨＤＲカメラ１０２Ｈと、ＬＤＲ光電変換部１０３Ｌと、ＨＤＲ光電変換部１０３Ｈと、ビデオエンコーダ１０４と、システムエンコーダ１０５と、送信部１０６を有している。制御部１０１は、ＣＰＵ（Central Processing Unit）を備えて構成され、図示しないストレージに格納されている制御プログラムに基づいて、送信装置１００の各部の動作を制御する。
【００４２】
ＬＤＲカメラ１０２Ｌは、被写体を撮像して、ＬＤＲ（Low Dynamic Range）画像データ（ＬＤＲビデオデータ）を出力する。このＬＤＲ画像データは、従来のＬＤＲ画像の白ピークの明るさに対して０％から１００％のコントラスト比を持つ。ＨＤＲカメラ１０２Ｈは、ＬＤＲカメラ１０２Ｌの被写体と同一の被写体を撮像して、ＨＤＲ（High Dynamic Range）画像データ（ＨＤＲビデオデータ）を出力する。このＨＤＲ画像データは、０〜１００％＊Ｎ、例えば０〜４００％あるいは０〜８００％などのコントラスト比を持つ。ここで、１００％のレベルは、白の輝度値１００cd/m**2に相当するものを前提とする場合がある。
【００４３】
ＬＤＲ光電変換部１０３Ｌは、カメラ１０２Ｌから得られるＬＤＲ画像データに対して、ＬＤＲ画像用の光電変換特性（ＬＤＲ ＯＥＴＦカーブ）を適用して、第１の伝送画像データＶ１を得る。図３のａ１の曲線は、ＬＤＲ ＯＥＴＦカーブの一例を示している。また、図４のａ２の曲線は、ＬＤＲ ＯＥＴＦカーブの他の一例を示している。ＨＤＲ光電変換部１０３Ｈは、カメラ１０２Ｈから得られるＨＤＲ画像データに対して、ＨＤＲ画像用の光電変換特性（ＨＤＲ ＯＥＴＦカーブ）を適用して、第２の伝送画像データＶ２を得る。図３のｂ１の曲線は、ＨＤＲ ＯＥＴＦカーブの一例を示している。また、図４のｂ２の曲線は、ＨＤＲ ＯＥＴＦカーブの他の一例を示している。
【００４４】
なお、図３、図４において、横軸は、ＬＤＲ光電変換部１０３Ｌ、ＨＤＲ光電変換部１０３Ｈの入力を示し、明るさ相対値［％］で表している。ブラックレベル（Black level）は、Ｎ＊１００：１のコントラスト比の最小値と一致するものである。受信側での表示の際に、この値を参照することができる。ピークブライトネス（Peak brightness）は、ＨＤＲのピークブライトネス（最大照度値）を指定し、相対値Ｎ＊１００の対象とする。受信機は、電光変換（ＥＯＴＦ）を行う際に、この値と、表示デバイス（表示部）の表示能力との間で必要な輝度調整を行うことができる。あるいは、最大のブライトネスレベルを指定する代わりに、明るさの中間レベルの値と、そのコントラスト比の値を受信側へ送ることで同様の効果を実現することも可能である。また、図３、図４において、縦軸は、ＬＤＲ光電変換部１０３Ｌ、ＨＤＲ光電変換部１０３Ｈの出力である振幅値（ＡＭＰ）を示す。
【００４５】
ビデオエンコーダ１０４は、第１の伝送画像データＶ１および第２の伝送画像データＶ２をレイヤ分けして符号化し、各レイヤのピクチャの符号化画像データを持つビデオストリームＶＳを生成する。この場合、第１の伝送画像データＶ１をそのまま符号化して第１のレイヤの符号化画像データとする。また、この場合、第２の伝送画像データＶ２から第１の伝送画像データＶＤ１を減算して差分画像データＤＶを得、この差分画像データＤＶを符号化して第２のレイヤの符号化画像データする。
【００４６】
ビデオエンコーダ１０４は、符号化効率を高めるために、差分画像データＤＶを得るとき、第１の伝送画像データにレベル調整を施し、第１の伝送画像データＶ１の値を第２の伝送画像データＶ２の値に近づける。この場合、詳細説明は後述するが、ＬＤＲ ＯＥＴＦカーブとＨＤＲ ＯＥＴＦカーブとの関係から求められたレベル調整カーブ（Level Coordination Curve）に基づいて調整される。この際、ビデオエンコーダ１０４は、ビデオストリームのレイヤに、レベル調整の特性情報、つまりレベル調整カーブ情報を挿入する。
【００４７】
ビデオエンコード１０４は、第１の伝送画像データＶ１および差分画像データＤＶの各ピクチャを複数の階層に分類して符号化する。この場合、第１の伝送画像データＶ１の各ピクチャの符号化画像データは下位階層に割り当てられ、差分画像データＤＶの各ピクチャの符号化画像データは上位階層に割り当てられる。そして、この場合、第１の伝送画像データＶ１の各ピクチャの符号化ピクチャタイプと、差分画像データＤＶの対応する各ピクチャの符号化ピクチャタイプが一致するように符号化される。
【００４８】
ビデオエンコーダ１０４は、各階層のピクチャの符号化画像データに、ピクチャ毎に、所属階層を識別するための階層識別情報を付加する。この実施の形態では、各ピクチャのＮＡＬユニット（nal_unit）のヘッダ部分に、階層識別子（temporal_id）を意味する“nuh_temporal_id_plus1”）が配置される。また、ビデオエンコーダ１０４は、各階層のピクチャの符号化画像データに、ピクチャ毎に、符号化レイヤを識別するためのレイヤ情報を付加する。この実施の形態では、各ピクチャのＮＡＬユニット（nal_unit）のヘッダ部分に、レイヤ情報としてレイヤ識別子（Layer_id）が配置される。
【００４９】
図５は、ビデオエンコーダ１０４で行われる階層符号化の一例を示している。この例は、０から５までの６階層に分類され、各階層のピクチャの画像データに対して符号化が施された例である。縦軸は階層を示している。第１の伝送画像データＶ１の各ピクチャは階層０から２の下位階層を構成し、差分画像データＤＶの各ピクチャは階層３から５の上位階層を構成する。
【００５０】
階層０から５のピクチャの符号化画像データを構成するＮＡＬユニット（nal_unit）のヘッダ部分に配置されるtemporal_id（階層識別情報）として、それぞれ、０から５が設定される。横軸は表示順（ＰＯＣ：picture order of composition）を示し、左側は表示時刻が前で、右側は表示時刻が後になる。
【００５１】
図６（ａ）は、ＮＡＬユニットヘッダの構造例（Syntax）を示し、図６（ｂ）は、その構造例における主要なパラメータの内容（Semantics）を示している。「Forbidden_zero_bit」の１ビットフィールドは、０が必須である。「nal_unit_type」の６ビットフィールドは、ＮＡＬユニットタイプを示す。
【００５２】
「nuh_layer_id」の６ビットフィールドは、レイヤ識別子（Layer_id）を示す。“０”は、temporal_id（階層識別情報）以外のレイヤ（layer）を設けないことを示す。“１”は、temporal_id（階層識別情報）以外のレイヤ（layer）として、ベースレイヤ（base layer）、つまり第１のレイヤに属することを示す。“２”は、temporal_id（階層識別情報）以外のレイヤ（layer）として、エンハンスレイヤ（enhance layer）、つまり第２のレイヤに属することを示す。「nuh_temporal_id_plus1」の３ビットフィールドは、temporal_idを示し、１を加えた値（１〜６）を示す。
【００５３】
図５に戻って、矩形枠のそれぞれがピクチャを示し、数字は、符号化されているピクチャの順、つまりエンコード順（受信側ではデコード順）を示している。「１」から「４」の４個のピクチャにより、第１の伝送画像データＶ１のあるサブ・ピクチャグループ（Sub Pictures Group ）が構成されており、「１」はそのサブ・ピクチャグループの先頭のピクチャとなる。「０」は前のサブ・ピクチャグループのピクチャである。また、「５」から「８」の４個のピクチャにより、第１の伝送画像データＶ１の次のサブ・ピクチャグループ（Sub Pictures Group ）が構成されており、「５」はそのサブ・ピクチャグループの先頭のピクチャとなる。ここで、「１」はＩピクチャ（Intra picture）であり、「５」はＰピクチャ（Uni-prediction picture）であり、その他はＢピクチャ（Bi-prediction picture）である。
【００５４】
また、「１´」から「４´」の４個のピクチャにより、差分画像データＤＶのあるサブ・ピクチャグループ（Sub Pictures Group ）が構成されており、「１´」はそのサブ・ピクチャグループの先頭のピクチャとなる。「０´」は前のサブ・ピクチャグループのピクチャである。また、「５´」から「８´」の４個のピクチャにより、差分画像データＤＶの次のサブ・ピクチャグループ（Sub Pictures Group ）が構成されており、「５´」はそのサブ・ピクチャグループの先頭のピクチャとなる。ここで、「１´」はＩピクチャ（Intra picture）であり、「５´」はＰピクチャ（Uni-prediction picture）であり、その他はＢピクチャ（Bi-prediction picture）である。
【００５５】
図示のように、第１の伝送画像データＶ１の「１」から「８」のピクチャは、それぞれ、差動画像データＤＶの「１´」から「８´」のピクチャと対応しているが、第１の伝送画像データＶ１の各ピクチャの符号化ピクチャタイプと、差分画像データＤＶの対応する各ピクチャの符号化ピクチャタイプが一致するように符号化されている。
【００５６】
実線矢印は、符号化におけるピクチャの参照関係を示している。例えば、「５」のピクチャは、Ｐピクチャであり、「１」のピクチャを参照して符号化される。また、「６」のピクチャは、Ｂピクチャであり、「１」、「５」のピクチャを参照して符号化される。同様に、その他のピクチャは、表示順で近くのピクチャを参照して符号化される。
【００５７】
図７は、ビデオエンコーダ１０４の構成例を示している。ビデオエンコーダ１０４は、動き予測変換符号化/量子化部１４１と、エントロピー符号化部１４２と、レベル調整部１４３と、減算部１４４と、動き予測変換符号化/量子化部１４５と、エントロピー符号化部１４６と、ストリームパッキング部１４７を有している。
【００５８】
動き予測変換符号化/量子化部１４１は、第１の伝送画像データＶ１に対して、動き予測変換符号化を行って時間軸データから周波数軸データに変換し、さらにこの周波数軸データに対して量子化を行って量子化データを得る。エントロピー符号化部１４２は、動き予測変換符号化/量子化部１４１で得られる量子化データに対して、エントロピー符号化を行って、第１のレイヤの符号化画像データＣＶ１を得る。
【００５９】
レベル調整部１４３は、符号化効率を高めるために、第１の伝送画像データＶ１にレベル調整を施し、第１の伝送画像データＶ１の値を第２の伝送画像データＶ２の値に近づける。レベル調整部１４３は、ＬＤＲ ＯＥＴＦカーブとＨＤＲ ＯＥＴＦカーブとの関係から求められたレベル調整カーブ（Level Coordination Curve）に基づいて、第１の伝送画像データのレベルを調整する。
【００６０】
レベル調整についてさらに説明する。図３のＬＤＲ ＯＥＴＦカーブおよびＨＤＲ ＯＥＴＦカーブを参照して説明する。レベル調整では、ＬＤＲの明るさ相対値（横軸の入力範囲）のＰＬの範囲内において、ＬＤＲのＡＭＰ値（第１の伝送画像データＶ１の値）をＨＤＲのＡＭＰ値（第２の伝送画像データＶ２の値）に近づけるように、ＬＤＲのＡＭＰ値に補正をかける。この場合、補正対象のＬＤＲのＡＭＰ値（第１の伝送画像データＶ１の値）であるＰｘ＿ＡをＰｘ＿Ｂにマッピングする。
【００６１】
図８の曲線ｃ１は、その際のマッピングカーブを示している。このマッピングカーブは、図３のＬＤＲ ＯＥＴＦカーブおよびＨＤＲ ＯＥＴＦカーブが使用された場合におけるレベル調整カーブを構成する。レベル調整部１４３は、このマッピングカーブに基づいて、ＬＤＲのＡＭＰ値（第１の伝送画像データＶ１の値）であるＰｘ＿ＡをＰｘ＿Ｂにマッピングし、第１の伝送画像データＶ１の値を第２の伝送画像データＶ２の値に近づける。
【００６２】
なお、ＬＤＲ ＯＥＴＦカーブおよびＨＤＲ ＯＥＴＦカーブが他の組み合わせであっても、同様にして、レベル調整カーブを構成するマッピングカーブを求めることができ、レベル調整部１４３は、そのマッピングカーブに基づいて、ＬＤＲのＡＭＰ値（第１の伝送画像データＶ１の値）であるＰｘ＿ＡをＰｘ＿Ｂにマッピングすることで、第１の伝送画像データＶ１の値を第２の伝送画像データＶ２の値に近づけることができる。例えば、図９の曲線ｃ２は、図４のＬＤＲ ＯＥＴＦカーブおよびＨＤＲ ＯＥＴＦカーブが使用された場合におけるマッピングカーブを示している。
【００６３】
図７に戻って、減算部１４４は、第２の伝送画像データＶ２から、レベル調整部１４３でレベル調整された後の第１の伝送画像データＶ１を減算して、差分画像データＤＶを得る。なお、この差分画像データＤＶの生成に際し、差分情報が小さくなるよう、動き予測変換符号化/量子化部１４５と同様の、動きベクトルを利用した予測処理を行い、差分データと共に動きベクトルを伝送する。動き予測変換符号化/量子化部１４５は、この差分画像データＤＶに対して、動き予測変換符号化を行って時間軸データから周波数軸データに変換し、さらにこの周波数軸データに対して量子化を行って量子化データを得る。エントロピー符号化部１４６、動き予測変換符号化/量子化部１４５で得られる量子化データに対して、エントロピー符号化を行って、第２のレイヤの符号化画像データＣＶ２を得る。
【００６４】
ストリームパッキング部１４７は、第１のレイヤの符号化画像データＣＶ１および第２のレイヤの符号化画像データＣＶ２を含むビデオストリーム（ビデオエレメンタリストリーム）ＶＳを生成する。この際、各ピクチャのＮＡＬユニット（nal_unit）のヘッダ部分に、階層識別子（temporal_id）を意味する“nuh_temporal_id_plus1”）が配置されると共に、レイヤ識別子（Layer_id）が配置される。また、この際、ビデオストリームのレイヤに、レベル調整の特性情報が挿入される。この特性情報は、例えば、予測画像を含めた表示アクセス単位であるＧＯＰ（Group Of Picture）単位で挿入される。
【００６５】
図２に戻って、システムエンコーダ１０５は、ビデオエンコーダ１０４で生成されたビデオストリームＶＳを含むトランスポートストリームＴＳを生成する。そして、送信部１０６は、このトランスポートストリームＴＳを、放送波あるいはネットのパケットに載せて、受信装置２００に送信する。
【００６６】
この際、システムエンコーダ１０５は、コンテナ（トランスポートストリーム）のレイヤに、各階層のピクチャの符号化画像データのレイヤを識別するためのレイヤ情報を挿入する。このレイヤ情報は、例えば、プログラム・マップ・テーブルの配下のビデオエレメンタリストリームループ中のデスクリプタに記述される。このレイヤ情報は、各レイヤに含まれる階層識別子（temporal_id）の値を示すものとされる。
【００６７】
図２に示す送信装置１００の動作を簡単に説明する。ＬＤＲカメラ１０２Ｌで撮像されて得られたＬＤＲ画像データ（ＬＤＲビデオデータ）は、ＬＤＲ光電変換部１０３Ｌに供給される。このＬＤＲ光電変換部１０３Ｌでは、このＬＤＲ画像データに対してＬＤＲ画像用の光電変換特性（ＬＤＲ ＯＥＴＦカーブ）が適用されて、第１の伝送画像データＶ１が得られる。この第１の伝送画像データＶ１は、ビデオエンコーダ１０４に供給される。
【００６８】
また、ＨＤＲカメラ１０２Ｈで撮像されて得られたＨＤＲ画像データ（ＨＤＲビデオデータ）は、ＨＤＲ光電変換部１０３Ｈに供給される。このＨＤＲ光電変換部１０３Ｈでは、このＨＤＲ画像データに対してＨＤＲ画像用の光電変換特性（ＬＤＲ ＯＥＴＦカーブ）が適用されて、第２の伝送画像データＶ２が得られる。この第２の伝送画像データＶ２は、ビデオエンコーダ１０４に供給される。
【００６９】
ビデオエンコーダ１０４では、第１の伝送画像データＶ１および第２の伝送画像データＶ２がレイヤ分けされて符号化され、各レイヤのピクチャの符号化画像を持つビデオストリームＶＳが生成される。この場合、第１の伝送画像データＶ１はそのまま符号化されて第１のレイヤの符号化画像データとされる。また、この場合、第２の伝送画像データＶ２から第１の伝送画像データＶＤ１が減算されて得られた差分画像データＤＶが符号化されて第２のレイヤの符号化画像データとされる。
【００７０】
ここで、符号化効率を高めるために、差分画像データＤＶを得るとき、第１の伝送画像データに対して、ＬＤＲ ＯＥＴＦカーブとＨＤＲ ＯＥＴＦカーブとの関係から求められたレベル調整カーブ（マッピングカーブ）に基づいてレベル調整が施され、第１の伝送画像データＶ１の値が第２の伝送画像データＶ２の値に近づけられる。
【００７１】
また、ビデオエンコーダ１０４では、各階層のピクチャの符号化画像データに、ピクチャ毎に、所属階層を識別するための階層識別情報が付加される。また、ビデオエンコーダ１０４では、各階層のピクチャの符号化画像データに、ピクチャ毎に、レイヤを識別するためのレイヤ情報が付加される。
【００７２】
ビデオエンコーダ１０４で生成されたビデオストリームＶＳは、システムエンコーダ１０５に供給される。このシステムエンコーダ１０５では、ビデオストリームを含むＭＰＥＧ２のトランスポートストリームＴＳが生成される。この際、システムエンコーダ１０５では、コンテナ（トランスポートストリーム）のレイヤに、各階層のピクチャの符号化画像データのレイヤを識別するためのレイヤ情報が挿入される。このトランスポートストリームＴＳは、送信部１０６により、放送波あるいはネットのパケットに載せて、受信装置２００に送信される。
【００７３】
［レベル調整特性情報、レイヤ情報、ＴＳ構成］
上述したように、ビデオストリームのレイヤに、レベル調整特性情報が挿入される。例えば、符号化方式がＨＥＶＣである場合、このレベル調整特性情報は、アクセスユニット（ＡＵ）の“ＳＥＩｓ”の部分に、レベルアジャステング・ＳＥＩメッセージ（Level_Adjusting SEI message）として挿入される。
【００７４】
図１０は、符号化方式がＨＥＶＣである場合におけるＧＯＰ（Group Of Pictures）の先頭のアクセスユニットを示している。ＨＥＶＣの符号化方式の場合、画素データが符号化されているスライス（slices）の前にデコード用のＳＥＩメッセージ群「Prefix_SEIs」が配置され、このスライス（slices）の後に表示用のＳＥＩメッセージ群「Suffix_SEIs」が配置される。レベルアジャステング・ＳＥＩメッセージは、ＳＥＩメッセージ群「Suffix_SEIs」として配置される。
【００７５】
図１１（ａ）は、「Level_Adjusting SEI message」の構造例(Syntax)を示している。「uuid_iso_iec_11578」は、“ISO/IEC 11578:1996 AnnexA.”で示されるUUID値をもつ。「user_data_payload_byte」のフィールドに、「Level_Adjusting_SEI()」が挿入される。図１１（ｂ）は、「Level_Adjusting_SEI()」の構造例(Syntax)を示しており、この中に、レベル調整特性情報としての「Level_Adjusting_information_data()」が挿入される。「userdata_id」は、符号なし１６ビットで示されるレベル調整特性情報の識別子である。「Level_Adjusting_SEI_length」の８ビットフィールドは、このフィールド以後の「Level_Adjusting_information_data()」のバイトサイズを示す。
【００７６】
図１２は、「Level_Adjusting_information_data()」の構造例（Syntax）を示している。図１３は、図１２に示す構造例における各情報の内容（Semantics）を示している。「peak_brightness_level」の８ビットフィールドは、対象とするピークの明るさのレベルを示す。この場合、ピークの明るさのレベルは、peak_brightness_level * 100 (cd/m**2)となる。
【００７７】
「Contrast_ratio」の８ビットフィールドは、０からpeak_brightness_level までのダイナミックレンジを表す。この場合、黒レベルの明るさは、peak_brightness_level * ( 1 / (black_level * 100) )となる。“１”は、peak_brightness_level の 1/100 のレベルであることを示す。“４”は、peak_brightness_level の 1/400 のレベルであることを示す。“１６”は、peak_brightness_level の 1/1600 のレベルであることを示す。“６４”は、peak_brightness_level の 1/6400 のレベルであることを示す。さらに“１２８”は、peak_brightness_level の 1/12800 のレベルであることを示す。
【００７８】
「coded_bit_extension_minus1」の４ビットフィールドは、伝送する画素のコンポーネント（component）あたりのビット（bit）幅の拡張を示す。“０”は、1ビット拡張(8bit + 1bit  = 9bits)を示す。“１”は、２ビット 拡張(8bit + 2bit  = 10bits)を示す。“２”は、３ビット拡張(8bit + 3bit  = 11bits)を示す。“３”は、４ビット拡張  (8bit + 4bit  = 12bits)を示す。「level_adjust [i]」の１６ビットフィールドは、入力ｉの補正値を符号付きの値で示す。
【００７９】
また、上述したように、コンテナ（トランスポートストリーム）のレイヤに、各階層のピクチャの符号化画像データのレイヤを識別するためのレイヤ情報が挿入される。この実施の形態においては、例えば、ＰＭＴ（Program Map Table）の配下に、レイヤ情報を含む記述子であるレイヤ・ヒエラルキー・デスクリプタ（Layer_hierarchy descriptor）が挿入される。
【００８０】
図１４は、このレイヤ・ヒエラルキー・デスクリプタの構造例（Syntax）を示している。図１５は、図１４に示す構造例における各情報の内容（Semantics）を示している。「Layer_hierarchy_tag」の８ビットフィールドは、デスクリプタタイプを示し、ここでは、レイヤ・ヒエラルキー・デスクリプタであることを示す。「Layer_hierarchy_length」の８ビットフィールドは、デスクリプタの長さ（サイズ）を示し、デスクリプタの長さとして以降のバイト数を示す。
【００８１】
「Layer_id_for _full_decoding」の３ビットフィールドは、対応するビデオストリームをフルにデコードする場合の最大テンポラルＩＤ（temporal_id）を示す。「Layer_id_for _base_decoding」の３ビットフィールドは、対応するビデオストリームのベースレイヤ（第１のレイヤ）部分をデコードする場合の最大テンポラルＩＤ（temporal_id）を示す。「NAL_layer_signaling」の１ビットフィールドは、NAL unit header に、nuh_layer_idによるレイヤシグナリングが行われることを示す。
【００８２】
図１６は、トランスポートストリームＴＳの構成例を示している。トランスポートストリームＴＳには、ビデオエレメンタリストリームのＰＥＳパケット「PID1:video PES1」が含まれている。このビデオエレメンタリストリームに、上述のレベルアジャステング・ＳＥＩメッセージ（Level_Adjusting SEI message）が挿入されている。また、ＮＡＬユニットのヘッダ部分に、階層識別子（temporal_id）を意味する“nuh_temporal_id_plus1”）が配置されていると共に、レイヤ情報としてレイヤ識別子（Layer_id）が配置されている。
【００８３】
また、トランスポートストリームＴＳには、ＰＳＩ（Program Specific Information）として、ＰＭＴ（Program Map Table）が含まれている。ＰＳＩは、トランスポートストリームに含まれる各エレメンタリストリームがどのプログラムに属しているかを記した情報である。また、トランスポートストリームＴＳには、イベント（番組）単位の管理を行うＳＩ（Serviced Information）としてのＥＩＴ(Event Information Table)が含まれている。
【００８４】
ＰＭＴには、各エレメンタリストリームに関連した情報を持つエレメンタリ・ループが存在する。この構成例では、ビデオエレメンタリ・ループ（Video ES loop）が存在する。このビデオエレメンタリ・ループには、上述のビデオエレメンタリストリームに対応して、ストリームタイプ、パケット識別子（PID）等の情報が配置されると共に、そのビデオエレメンタリストリームに関連する情報を記述するデスクリプタも配置される。このＰＭＴのビデオエレメンタリ・ループ（Video ES loop）の配下に、上述のレイヤ・ヒエラルキー・デスクリプタ（Layer_hierarchy descriptor）が配置される。
【００８５】
「受信装置の構成」
図１７は、受信装置２００の構成例を示している。受信装置２００は、制御部２０１と、受信部２０２と、システムデコーダ２０３と、ビデオデコーダ２０４と、切り替え部２０５と、ＬＤＲ電光変換部２０６Ｌと、ＨＤＲ電光変換部２０６Ｈと、表示部（表示デバイス）２０７を有している。制御部２０１は、ＣＰＵ（Central Processing Unit）を備えて構成され、図示しないストレージに格納されている制御プログラムに基づいて、受信装置２００の各部の動作を制御する。
【００８６】
受信部２０２は、送信装置１００から放送波あるいはネットのパケットに載せて送られてくるトランスポートストリームＴＳを受信する。システムデコーダ２０３は、このトランスポートストリームＴＳからビデオストリーム（エレメンタリストリーム）ＶＳを抽出する。また、システムデコーダ２０３は、コンテナ（トランスポートストリーム）のレイヤに挿入されている種々の情報を抽出し、制御部２０１に送る。この情報には、上述したレイヤ・ヒエラルキー・デスクリプタも含まれる。
【００８７】
ビデオデコーダ２０４は、システムデコーダ２０３で抽出されるビデオストリームＶＳに対して復号化処理などを行って、例えば、表示部２０７の表示能力に応じて、第１の伝送ビデオデータＶ１あるいは第２の伝送ビデオデータＶ２を選択的に出力する。つまり、表示部２０７がＬＤＲ画像の表示能力を持つ場合、ビデオデコーダ２０４は、第１の伝送画像データＶ１を出力する。一方、表示部２０７がＨＤＲ画像の表示能力を持つ場合、ビデオデコーダ２０４は、第２の伝送画像データＶ２を出力する。
【００８８】
また、ビデオデコーダ２０４は、ビデオストリームＶＳに挿入されているＳＥＩメッセージを抽出し、制御部２０１に送る。このＳＥＩメッセージには、上述したレベル調整特性情報を持つレベルアジャステング・ＳＥＩメッセージも含まれる。
【００８９】
図１８は、ビデオデコーダ２０４の構成例を示している。ビデオデコーダ２０４は、ストリームアンパッキング部２４１と、エントロピー復号化部２４２と、逆量子化/動き補償復号化部２４３と、エントロピー復号化部２４４と、逆量子化/動き補償復号化部２４５と、レベル調整部２４６と、加算部２４７と、切り替え部２４８を有している。
【００９０】
ストリームアンパッキング部２４１は、ビデオストリームＶＳから、第１のレイヤの符号化画像データＣＶ１と第２のレイヤの符号化画像データＣＶ２を分けて取り出す。この場合、ストリームアンパッキン部２４１は、ビデオストリームのレイヤあるいはコンテナのレイヤに挿入されている、各レイヤのピクチャの符号化画像データのレイヤ情報に基づいて、第１のレイヤの符号化画像データＣＶ１と第２のレイヤの符号化画像データＣＶ２を分ける。受信機がＬＤＲ表示を行う際は、ストリームアンパッキング部２４１からはＣＶ１のみをエントロピー復号化部２４２へ送り、一方、受信機がＨＤＲ表示を行う際は、ストリームアンパッキング部２４１からはＣＶ１をエントロピー復号化部２４２へ送ると共に、ＣＶ２をエントロピー復号化部２４４へ送る。
【００９１】
この場合、ストリームアンパッキング部２４１は、レイヤ・ヒエラルキー・デスクリプタ（図１４参照）の「NAL_layer_signaling」の１ビットフィールドに基づき、“方法Ａ”あるいは“方法Ｂ”を選択して、第１のレイヤの符号化画像データＣＶ１と第２のレイヤの符号化画像データＣＶ２を分ける。
【００９２】
例えば、「NAL_layer_signaling」の１ビットフィールドが“１”であってNAL unit header にnuh_layer_idによるレイヤシグナリングが行われることを示すときは、“方法Ａ”を採用する。このとき、ＮＡＬユニットの解析（parsing）で取得される「nuh_layer_id」、「nuh_temporal_id_plus1」は、図１９の“方法Ａ”側に示す状態となっている。
【００９３】
つまり、「nuh_temporal_id_plus1」が０，１，２である第１のレイヤ（ベースレイヤ）の各ピクチャにおいて、「nuh_layer_id」は１，１，１なる。一方、「nuh_temporal_id_plus1」が３，４，５である第２のレイヤ（エンハンスレイヤ）の各ピクチャにおいて、「nuh_layer_id」は２，２，２なる。従って、この“方法Ａ”では、「nuh_layer_id」の値により、第１のレイヤの符号化画像データＣＶ１と第２のレイヤの符号化画像データＣＶ２を分ける。
【００９４】
一方、「NAL_layer_signaling」の１ビットフィールドが“０”であってNAL unit header にnuh_layer_idによるレイヤシグナリングが行われないことを示すときは、“方法Ｂ”を採用する。このとき、ＮＡＬユニットの解析（parsing）で取得される「nuh_layer_id」、「nuh_temporal_id_plus1」は、図１９の“方法Ｂ”側に示す状態となっている。
【００９５】
つまり、「nuh_temporal_id_plus1」が０，１，２である第１のレイヤ（ベースレイヤ）の各ピクチャにおいて、「nuh_layer_id」は０，０，０となる。一方、「nuh_temporal_id_plus1」が３，４，５である第２のレイヤ（ベースレイヤ）の各ピクチャにおいても、「nuh_layer_id」は０，０，０となる。そのため、「nuh_layer_id」の値により、第１のレイヤの符号化画像データＣＶ１と第２のレイヤの符号化画像データＣＶ２を分けることができない。
【００９６】
しかし、レイヤ・ヒエラルキー・デスクリプタには、「Layer_id_for _full_decoding」、「Layer_id_for _base_decoding」が存在する。上述したように、「Layer_id_for _full_decoding」の３ビットフィールドは、対応するビデオストリームをフルにデコードする場合の最大テンポラルＩＤ（temporal_id）を示す。また、「Layer_id_for _base_decoding」の３ビットフィールドは、対応するビデオストリームのベースレイヤ（第１のレイヤ）部分をデコードする場合の最大テンポラルＩＤ（temporal_id）を示す。従って、この“方法Ｂ”では、「Layer_id_for _full_decoding」、「Layer_id_for _base_decoding」の値と、「nuh_temporal_id_plus1」の値により、第１のレイヤの符号化画像データＣＶ１と第２のレイヤの符号化画像データＣＶ２を分ける。
【００９７】
また、図１８に戻って、ストリームアンパッキング部２４１は、ビデオストリームＶＳに挿入されているＳＥＩメッセージを抽出し、制御部２０１に送る。このＳＥＩメッセージには、上述したレベル調整特性情報を持つレベルアジャステング・ＳＥＩメッセージも含まれている。
【００９８】
エントロピー復号化部２４２は、ストリームアンパッキング部２４１で取り出される第１のレイヤの符号化画像データＣＶ１に対して、エントロピー復号化を行って量子化データを得る。逆量子化/動き補償変換復号化部２４３は、その量子化データに逆量子化を施し、さらに動き補償変換復号化を行って周波数軸データから時間軸データに変換して、第１の伝送画像データＶ１を得る。
【００９９】
エントロピー復号化部２４４は、ストリームアンパッキング部２４１で取り出される第２のレイヤの符号化画像データＣＶ２に対して、エントロピー復号化を行って量子化データを得る。逆量子化/動き補償変換復号化部２４５は、その量子化データに逆量子化を施し、さらに動き補償変換復号化を行って周波数軸データから時間軸データに変換して、差分画像データＤＶを得る。
【０１００】
レベル調整部２４６は、第１の伝送画像データＶ１にレベル調整を施す。この場合、レベル調整部２４６は、ストリームアンパッキング部２４１で抽出されたレベルアジャステング・ＳＥＩメッセージに含まれているレベル調整特性情報に基づいて、上述した送信装置１００のビデオエンコーダ１０４のレベル調整部１４３におけると同様のマッピングカーブ（レベル調整カーブ）を用いて補正をかける。
【０１０１】
加算部２４７は、差分画像データＤＶに、レベル調整部２４６でレベル調整された後の第１の伝送画像データＶ１を加算して、第２の伝送画像データＶ２を得る。なお、加算の際は、レイヤ間の予測ベクトルを利用した予測・補償が行われる。切り替え部２４８は、制御部２０１の制御のもと、例えば、表示部（表示デバイス）２０７の表示能力に応じて、第１の伝送画像データＶ１または第２の伝送画像データＶ２を選択的に出力する。つまり、表示部２０７がＬＤＲ画像の表示能力を持つ場合、切り替え部２４８は第１の伝送画像データＶ１を出力する。一方、表示部２０７がＨＤＲ画像の表示能力を持つ場合、切り替え部２４８は第２の伝送画像データＶ２を出力する。
【０１０２】
図１７に戻って、切り替え部２０５は、ビデオデコーダ２０４の出力画像データを、ＬＤＲ電光変換部２０６ＬまたはＨＤＲ電光変換部２０６Ｈに、選択的に送る。この場合、切り替え部２０５は、ビデオデコーダ２０４の出力画像データが第１の伝送画像データＶ１である場合には、その第１の伝送画像データＶ１をＬＤＲ電光変換部２０６Ｌに送る。一方、切り替え部２０５は、ビデオデコーダ２０４の出力画像データが第２の伝送画像データＶ２である場合には、その第２の伝送画像データＶ２をＨＤＲ電光変換部２０６Ｈに送る。
【０１０３】
ＬＤＲ電光変換部２０６Ｌは、第１の伝送画像データＶ１に、上述した送信装置１００におけるＬＤＲ光電変換部１０３Ｌにおける光電変換特性とは逆特性の電光変換を施して、ＬＤＲ画像を表示するための出力画像データを得る。また、ＨＤＲ電光変換部２０６Ｈは、第２の伝送画像データＶ２に、上述した送信装置１００におけるＨＤＲ光電変換部１０３Ｈにおける光電変換特性とは逆特性の電光変換を施して、ＨＤＲ画像を表示するための出力画像データを得る。
【０１０４】
表示部２０７は、例えば、ＬＣＤ(Liquid Crystal Display)、有機ＥＬ（Organic Electro-Luminescence）パネル等で構成されている。表示部２０７は、ＬＤＲ画像の表示能力を持つ場合、ＬＤＲ電光変換部２０６Ｌで得られる出力画像データによるＬＤＲ画像を表示する。一方、表示部２０７は、ＨＤＲ画像の表示能力を持つ場合、ＨＤＲ電光変換部２０６Ｈで得られる出力画像データによるＨＤＲ画像を表示する。なお、この表示部２０７は、受信装置２００に接続される外部機器であってもよい。
【０１０５】
図１７に示す受信装置２００の動作を簡単に説明する。受信部２０２では、送信装置１００から放送波あるいはネットのパケットに載せて送られてくるトランスポートストリームＴＳが受信される。このトランスポートストリームＴＳは、システムデコーダ２０３に供給される。システムデコーダ２０３では、このトランスポートストリームＴＳからビデオストリーム（エレメンタリストリーム）ＶＳが抽出される。また、システムデコーダ２０３では、コンテナ（トランスポートストリーム）のレイヤに挿入されている種々の情報が抽出され、制御部２０１に送られる。この情報には、上述したレイヤ・ヒエラルキー・デスクリプタも含まれる。
【０１０６】
システムデコーダ２０３で抽出されたビデオストリームＶＳは、ビデオデコーダ２０４に供給される。このビデオストリームＶＳには、第１の伝送画像データＶ１が符号化されてなる第１のレイヤの符号化画像データＣＶ１と、第２の伝送画像データＶ２から第１の伝送画像データＶ１を減算して得られた差分画像データＤＶが符号化されてなる第２のレイヤの符号化画像データＣＶ２が含まれている。
【０１０７】
ビデオデコーダ２０４では、ビデオストリームのレイヤあるいはコンテナのレイヤに挿入されている、各レイヤのピクチャの符号化画像データのレイヤ情報に基づいて、ビデオストリームＶＳから、第１のレイヤの符号化画像データＣＶ１と第２のレイヤの符号化画像データＣＶ２が分けて取り出される。
【０１０８】
そして、ビデオデコーダ２０４では、第１のレイヤの符号化画像データＣＶ１が復号化されて第１の伝送ビデオデータＶ１が得られる。また、ビデオデコーダ２０４では、第２のレイヤの符号化画像データＣＶ２が復号化されて得られた差分画像データＤＶに第１の伝送画像データＶ１が加算されて第２の伝送画像データＶ２が得られる。ここで、差分画像データＤＶに加算される第１の伝送画像データＶ１に対して、レベルアジャステング・ＳＥＩメッセージに含まれているレベル調整特性情報に基づいて、レベル調整が施される。
【０１０９】
ビデオデコーダ２０４の出力画像データが第１の伝送画像データＶ１であるとき、この第１の伝送画像データＶ１は切り替え部２０５を介してＬＤＲ電光変換部２０６Ｌに供給される。このＬＤＲ電光変換部２０６Ｌでは、第１の伝送画像データＶ１に、上述した送信装置１００における光電変換とは逆特性の電光変換が施されて、ＬＤＲ画像を表示するための出力画像データが得られる。この出力画像データは表示部２０７に送られ、この表示部２０７に、ＬＤＲ画像が表示される。
【０１１０】
一方、ビデオデコーダ２０４の出力画像データが第２の伝送画像データＶ２であるとき、この第２の伝送画像データＶ２は切り替え部２０５を介してＨＤＲ電光変換部２０６Ｈに供給される。このＨＤＲ電光変換部２０６Ｈでは、第２の伝送画像データＶ２に、上述した送信装置１００における光電変換とは逆特性の電光変換が施されて、ＨＤＲ画像を表示するための出力画像データが得られる。この出力画像データは表示部２０７に送られ、この表示部２０７に、ＨＤＲ画像が表示される。
【０１１１】
上述したように、図１に示す送受信システム１０においては、ＬＤＲ画像データに光電変換を施して得られた第１の伝送ビデオデータとＨＤＲ画像データに光電変換を施して得られた第２の伝送ビデオデータとをレイヤ分けして符号化し、各レイヤのピクチャの符号化画像データを持つビデオストリームを含むコンテナを送信するものである。したがって、ＨＤＲ画像データおよびＬＤＲ画像データの双方を良好に送信することが可能となる。
【０１１２】
また、図１に示す送受信システム１０においては、第２の伝送ビデオデータから第１の伝送画像データを減算して差分画像データを得、第１の伝送画像データを符号化して第１のレイヤの符号化画像データとし、差分画像データを符号化して第２のレイヤの符号化画像データとするものである。そのため、符号化効率の向上が可能となる。
【０１１３】
また、図１に示す送受信システム１０においては、第１の伝送画像データの各ピクチャの符号化ピクチャタイプと、差分画像データの対応する各ピクチャの符号化ピクチャタイプを一致させるものである。そのため、受信側では、第１のレイヤの符号化画像データの各ピクチャの復号化と第２のレイヤの符号化画像データの対応する各ピクチャの復号化とを同じタイミングで進めることが可能となり、第２の伝送画像データを得るためのデコード遅延を小さく抑えることが可能となる。
【０１１４】
また、図１に示す送受信システム１０においては、各レイヤのピクチャの符号化画像データのレイヤ情報をビデオストリームのレイヤまたはコンテナのレイヤに挿入して送信するものである。そのため、受信側では、ビデオストリームから各レイヤのピクチャの符号化画像データを取り出すことが容易となる。
【０１１５】
また、図１に示す送受信システム１０においては、差分画像データを得るとき、第１の伝送画像データにレベル調整を施し、第２の伝送画像データに近づけるものである。そのため、差分画像データの値を小さくでき、符号化効率をより高めることが可能となる。
【０１１６】
また、図１に示す送受信システム１０においては、ビデオストリームのレイヤに、レベル調整の特性情報を挿入して送信するものである。そのため、受信側では、このレベル調整の特性情報に基づいて第１の伝送画像データのレベル調整を行った後に差分画像データに加算することで、第２の伝送画像データを良好に得ることが可能となる。
【０１１７】
＜２．変形例＞
なお、上述実施の形態においては、第２の伝送画像データＶ２からレベル調整された第１の伝送画像データＶ１を減算して得られた差分画像データＤＶを符号化して第２のレイヤの符号化画像データＣＶ２とする例を示した。しかし、（１）レベル調整された第２の伝送画像データＶ２から第１の伝送画像データＶ１を減算して得られた差分画像データＤＶを符号化して第２のレイヤの符号化画像データＣＶ２とすることも考えられる。また、（２）第２の伝送画像データＶ２そのものを符号化して第２のレイヤの符号化画像データＣＶ２とすることも考えられる。
【０１１８】
図２０は、上述の（１）、（２）に対応したビデオエンコーダ１０４Ａの構成例を示している。この図２０において、図７と対応する部分には同一符号を付し、適宜、その詳細説明を省略する。レベル調整部１４３は、第２の伝送画像データＶ２にレベル調整を施し、第２の伝送画像データＶ２の値を第１の伝送画像データＶ１の値に近づける。減算部１４４は、レベル調整された第２の伝送画像データＶ２から第１の伝送画像データＶ１を減算して差分画像データＤＶを得る。なお、減算の際は、レイヤ間の予測ベクトルを利用した予測・補償が行われる。
【０１１９】
切り替え部１４８は、第２の画像データＶ２または差分画像データＤＶを選択的に、動き予測変換符号化/量子化部１４５に送る。ここで、差分画像データＤＶが選択された場合、第２のレイヤの符号化画像データＣＶ２は、レベル調整された第２の伝送画像データＶ２から第１の伝送画像データＶ１を減算して得られた差分画像データＤＶを符号したものとなる。一方、第２の画像データＶ２が選択された場合、第２のレイヤの符号化画像データＣＶ２は、第２の伝送画像データＶ２そのものを符号化したものとなる。
【０１２０】
図２１は、図２０のビデオエンコーダ１０４Ａに対応したビデオデコーダ２０４Ａの構成例を示している。この図２１において、図１８と対応する部分には同一符号を付し、適宜、その詳細説明を省略する。逆量子化/動き補償変換復号化部２４５は、送信側から送られてくる第２のレイヤの符号化画像データＣＶ２が差分画像データＤＶを符号化したものである場合、その差分画像データＤＶを出力する。
【０１２１】
この場合、加算部２４７は、その差分画像データＤＶと第１の伝送画像データＶ１を加算する。なお、加算の際は、レイヤ間の予測ベクトルを利用した予測・補償が行われる。そして、レベル調整部２４６は、その加算データに、上述のビデオエンコーダ２０４Ａにおけるレベル調整部１４３とは逆のレベル調整を施し、第２の伝送画像データＶ２を得る。そして、この場合、切り替え部２４９は、レベル調整部２４６から得られる第２の伝送画像データＶ２を出力とするように切り替える。
【０１２２】
一方、逆量子化/動き補償変換復号化部２４５は、送信側から送られてくる第２のレイヤの符号化画像データＣＶ２が第２の伝送画像データＶ２を符号化したものである場合、その第２の伝送画像データＶ２を出力する。そして、この場合、切り替え部２４９は、その第２の伝送画像データＶ２を出力とするように切り替える。
【０１２３】
また、上述実施の形態においては、第１の伝送画像データＶ１の各ピクチャの符号化ピクチャタイプと差分画像データＤＶの対応する各ピクチャの符号化ピクチャタイプを一致させる例を示した（図５参照）。しかし、本技術は、符号化ピクチャタイプを一致させない場合にも適用できる。
【０１２４】
図２２は、その場合における階層符号化の一例を示している。この例は、０から３までの４階層に分類され、各階層のピクチャの画像データに対して符号化が施された例である。縦軸は階層を示している。第１の伝送画像データＶ１の各ピクチャは階層０から２の下位階層を構成し、差分画像データＤＶの各ピクチャは階層３の上位階層を構成する。
【０１２５】
階層０から３のピクチャの符号化画像データを構成するＮＡＬユニット（nal_unit）のヘッダ部分に配置されるtemporal_id（階層識別情報）として、それぞれ、０から３が設定される。横軸は表示順（ＰＯＣ：picture order of composition）を示し、左側は表示時刻が前で、右側は表示時刻が後になる。矩形枠のそれぞれがピクチャを示し、数字は、符号化されているピクチャの順、つまりエンコード順（受信側ではデコード順）を示している。
【０１２６】
また、上述実施の形態においては、トランスポートストリームＴＳに、第１のレイヤ（ベースレイヤ）および第２のレイヤ（エンハンスレイヤ）の各ピクチャの符号化画像データを持つ一つのビデオストリームＶＳが含まれる例を示した。しかし、トランスポートストリームＴＳに、第１のレイヤ（ベースレイヤ）の各ピクチャの符号化画像データを持つビデオストリームと、第２のレイヤ（エンハンスレイヤ）の各ピクチャの符号化画像データを持つビデオストリームの２つが含まれるようにしてもよい。
【０１２７】
また、本技術は、以下のような構成を取ることもできる。
（１）従来のＬＤＲ画像の白ピークの明るさに対して０％から１００％のコントラスト比を持つ第１の入力画像データに光電変換を施して得られた第１の伝送画像データおよび従来の白ピークの明るさを越える０％から１００％＊Ｎ（Ｎは１より大きい数）のコントラスト比を持つ第２の入力画像データに光電変換を施して得られた第２の伝送画像データをレイヤ分けして符号化し、各レイヤのピクチャの符号化画像データを持つビデオストリームを生成する画像符号化部と、
上記ビデオストリームを含む所定フォーマットのコンテナを送信する送信部を備える
送信装置。
（２）上記画像符号化部は、
上記第２の伝送画像データと上記第１の伝送画像データとの間で減算処理を行って差分画像データを得、
上記第１の伝送画像データを符号化して第１のレイヤの符号化画像データとし、上記差分画像データを符号化して第２のレイヤの符号化画像データとする
前記（１）に記載の送信装置。
（３）上記画像符号化部は、
上記減算処理を行って上記差分画像データを得るとき、上記第１の伝送画像データまたは上記第２の伝送画像データにレベル調整を施す
前記（２）に記載の送信装置。
（４）上記ビデオストリームのレイヤに、上記レベル調整の特性情報、および/または、明るさのレベル情報とコントラスト情報を挿入する情報挿入部をさらに備える
前記（３）に記載の送信装置。
（５）上記画像符号化部は、
上記第１の伝送画像データの各ピクチャの符号化ピクチャタイプと、上記差分画像データの対応する各ピクチャの符号化ピクチャタイプを一致させる
前記（２）から（４）のいずれかに記載の送信装置。
（６）上記画像符号化部は、
上記第１の伝送画像データを符号化して第１のレイヤの符号化画像データとし、上記第２の伝送画像データを符号化して第２のレイヤの符号化画像データとする
前記（１）に記載の送信装置。
（７）上記各レイヤのピクチャの符号化画像データのレイヤ情報を上記ビデオストリームのレイヤまたは上記コンテナのレイヤに挿入するレイヤ情報挿入部をさらに備える
前記（１）から（６）のいずれかに記載の送信装置。
（８）上記レイヤ情報挿入部は、
上記レイヤ情報を上記ビデオストリームのレイヤに挿入する場合、該レイヤ情報をＮＡＬユニットのヘッダに挿入する
前記（７）に記載の送信装置。
（９）上記コンテナのレイヤに挿入されるレイヤ情報は、各レイヤに対応するテンポラルＩＤの値を示す
前記（７）に記載の送信装置。
（１０）従来のＬＤＲ画像の白ピークの明るさに対して０％から１００％のコントラスト比を持つ第１の入力画像データに光電変換を施して得られた第１の伝送画像データおよび従来の白ピークの明るさを越える０％から１００％＊Ｎ（Ｎは１より大きい数）のコントラスト比を持つ第２の入力画像データに光電変換を施して得られた第２の伝送画像データをレイヤ分けして符号化し、各レイヤのピクチャの符号化画像データを持つビデオストリームを生成する画像符号化ステップと、
送信部により、上記ビデオストリームを含む所定フォーマットのコンテナを送信する送信ステップを有する
送信方法。
（１１）第１の伝送画像データおよび第２の伝送画像データがレイヤ分けされて符号化されてなる各レイヤのピクチャの符号化画像データを持つビデオストリームを含むコンテナを受信する受信部を備え、
上記第１の伝送画像データは、従来のＬＤＲ画像の白ピークの明るさに対して０％から１００％のコントラスト比を持つ第１の入力画像データに光電変換を施して得られたものであり、
上記第２の伝送画像データは、従来の白ピークの明るさを越える０％から１００％＊Ｎ（Ｎは１より大きい数）のコントラスト比を持つ第２の入力画像データに光電変換を施して得られたものであり、
上記受信部で受信されたコンテナに含まれるビデオストリームを処理する処理部をさらに備える
受信装置。
（１２）上記処理部は、
上記第１の伝送画像データまたは上記第２の伝送画像データを選択的に出力する
前記（１１）に記載の受信装置。
（１３）上記処理部は、
表示部の表示能力情報に基づいて、上記第１の伝送画像データまたは上記第２の伝送画像データを出力する
前記（１２）に記載の受信装置。
（１４）上記処理部から出力される上記第１の伝送画像データまたは上記第２の伝送画像データに対応する電光変換を施す電光変換部をさらに備える
前記（１２）または（１３）に記載の受信装置。
（１５）上記ビデオストリームは、上記第１の伝送画像データが符号化されてなる第１のレイヤの符号化画像データと、上記第２の伝送画像データと上記第１の伝送画像データとの間で減算処理を行って得られた差分画像データが符号化されてなる第２のレイヤの符号化画像データを持ち、
上記処理部は、
上記第１のレイヤの符号化画像データを復号化して上記第１の伝送ビデオデータを得、
上記第２のレイヤの符号化画像データを復号化して得られた差分画像データに上記第１の伝送画像データを加算して上記第２の伝送画像データを得る
前記（１１）から（１４）のいずれかに記載の受信装置。
（１６）上記処理部は、
上記第２の伝送画像データを得るとき、上記第１の伝送画像データまたは加算画像データにレベル調整を施す
前記（１５）に記載の受信装置。
（１７）上記ビデオストリームのレイヤに、レベル調整の特性情報が挿入されており、
上記処理部は、
上記レベル調整の特性情報に基づいて、上記第１の伝送画像データまたは加算画像データにレベル調整を施す
前記（１６）に記載の受信装置。
（１８）上記ビデオストリームのレイヤあるいは上記コンテナのレイヤに、上記各レイヤのピクチャの符号化画像データのレイヤ情報が挿入されており、
上記処理部は、
上記レイヤ情報に基づいて、上記ビデオストリームから、上記第１のレイヤの符号化画像データおよび上記第２のレイヤの符号化画像データを取り出す
前記（１５）から（１７）のいずれかに記載の受信装置。
（１９）受信部により、第１の伝送画像データおよび第２の伝送画像データがレイヤ分けされて符号化されてなる各レイヤの符号化画像データを持つビデオストリームを含むコンテナを受信する受信ステップを有し、
上記第１の伝送画像データは、従来のＬＤＲ画像の白ピークの明るさに対して０％から１００％のコントラスト比を持つ第１の入力画像データに光電変換を施して得られたものであり、
上記第２の伝送画像データは、従来の白ピークの明るさを越える０％から１００％＊Ｎ（Ｎは１より大きい数）のコントラスト比を持つ第２の入力画像データに光電変換を施して得られたものであり、
上記受信ステップで受信されたコンテナに含まれるビデオストリームを処理する処理ステップをさらに有する
受信方法。
【０１２８】
本技術の主な特徴は、ＬＤＲ画像データに光電変換を施して得られた第１の伝送画像データとＨＤＲ画像データに光電変換を施して得られた第２の伝送画像データとをレイヤ分けして符号化し、各レイヤのピクチャの符号化画像データを持つビデオストリームを含むコンテナを送信することで、ＨＤＲ画像データおよびＬＤＲ画像データの双方を良好に伝送可能としたことである（図５参照）。
【符号の説明】
【０１２９】
１０・・・送受信システム
１００・・・送信装置
１０１・・・制御部
１０２Ｌ・・・ＬＤＲカメラ
１０２Ｈ・・・ＨＤＲカメラ
１０３Ｌ・・・ＬＤＲ光電変換部
１０３Ｈ・・・ＨＤＲ光電変換部
１０４、１０４Ａ・・・ビデオエンコーダ
１０５・・・システムエンコーダ
１０６・・・送信部
１４１・・・動き予測変換符号化/量子化部
１４２・・・エントロピー符号化部
１４３・・・レベル調整部
１４４・・・減算部
１４５・・・動き予測変換符号化/量子化部
１４６・・・エントロピー符号化部
１４７・・・ストリームパッキング部
１４８・・・切り替え部
２００・・・受信装置
２０１・・・制御部
２０２・・・受信部
２０３・・・システムデコーダ
２０４，２０４Ａ・・・ビデオデコーダ
２０５・・・切り替え部
２０６Ｌ・・・ＬＤＲ電光変換部
２０６Ｈ・・・ＨＤＲ電光変換部
２０７・・・表示部
２４１・・・ストリームアンパッキング部
２４２・・・エントロピー復号化部
２４３・・・逆量子化/動き補償変換復号化部
２４４・・・エントロピー復号化部
２４５・・・逆量子化/動き補償変換復号化部
２４６・・・レベル調整部
２４７・・・加算部
２４８，２４９・・・切り替え部
【図１】
0006583260.tif 000002
【図２】
0006583260.tif 000003
【図３】
0006583260.tif 000004
【図４】
0006583260.tif 000005
【図５】
0006583260.tif 000006
【図６】
0006583260.tif 000007
【図７】
0006583260.tif 000008
【図８】
0006583260.tif 000009
【図９】
0006583260.tif 000010
【図１０】
0006583260.tif 000011
【図１１】
0006583260.tif 000012
【図１２】
0006583260.tif 000013
【図１３】
0006583260.tif 000014
【図１４】
0006583260.tif 000015
【図１５】
0006583260.tif 000016
【図１６】
0006583260.tif 000017
【図１７】
0006583260.tif 000018
【図１８】
0006583260.tif 000019
【図１９】
0006583260.tif 000020
【図２０】
0006583260.tif 000021
【図２１】
0006583260.tif 000022
【図２２】
0006583260.tif 000023